(57)【特許請求の範囲】
【請求項１】
少なくとも内容情報と形式情報を有する文書情報を表示する表示システムであって、
少なくとも領域原点情報・領域幅情報・領域長さ情報・領域間隔情報を有する領域情報を含み、該領域情報のうち少なくとも一部の特定領域の領域情報は、一連文字群情報領域と、それに対応する複数の分離文字群情報領域とを持つ前記形式情報と、
少なくとも該領域情報で定義される領域に配置される文字情報の集合体からなる文章情報を含み、該文字情報のうち前記一連文字群情報領域及び前記複数の分離文字群情報領域に配置される文字情報はそれぞれ一連文字群情報及び複数の分離文字群情報である前記内容情報と、
を有する前記文書情報を記憶する記憶手段と、
前記文章情報を表示する表示手段と、
該表示手段上の表示エリアを指定する指定手段と、
該表示エリアに合わせて前記文章情報の配置を決定する配置決定手段と、
該文章情報の配置の決定にあたり、前記特定領域の配置が行中の場合は前記一連文字群情報領域を選択して前記一連文字群情報を表示し、改行の場合は前記複数の分離文字群情報領域を選択して前記複数の分離文字群情報を表示する様に該特定領域毎に選択を決定してその情報を前記配置決定手段に渡す選択決定手段と、
を有することを特徴とする表示システム。
【請求項２】
前記一連文字群情報は割注文字で、前記分離文字群情報は２段に分離した際の割注文字であることを特徴とする請求項１記載の表示システム。
【請求項３】
前記一連文字群情報は英文文字で、前記分離文字群情報は２段に分離した際のハイフンを含む英文文字であることを特徴とする請求項１記載の表示システム。
【請求項４】
少なくとも内容情報と形式情報を有する文書情報を表示する表示システムであって、
少なくとも領域原点情報・領域幅情報・領域長さ情報・領域間隔情報を有する領域情報を含み、該領域情報のうち少なくとも一部の特定領域の領域情報はルビ親文字領域であると共に、他の一部の特定領域の領域情報は該ルビ親文字領域に対応したルビ小文字領域である前記形式情報と、
少なくとも該領域情報で定義される領域に配置される文字情報の集合体からなる文章情報を含み、該文字情報のうち前記ルビ親文字領域及び前記ルビ小文字領域に配置される文字情報はそれぞれルビ親文字群情報及びルビ小文字群情報である前記内容情報と、
前記ルビ親文字領域とそれに対応した前記ルビ小文字領域との分離を禁止する分離禁止情報と、
を有する前記文書情報を記憶する記憶手段と、
前記文章情報を表示する表示手段と、
該表示手段上の表示エリアを指定する指定手段と、
該表示エリアに合わせて前記文章情報の配置を決定し、その際に、前記分離禁止情報によって各々分離を禁止された前記ルビ親文字領域及び前記ルビ小文字領域を対応する位置に配置すると共に、該ルビ小文字領域の領域長さが該ルビ親文字領域の領域長さより長い場合は、該ルビ小文字領域が該ルビ親文字領域の前後の領域の文字上に食い込める様に配置を決定する配置決定手段と、
を有することを特徴とする表示システム。
【請求項５】
前記配置決定手段は、前記ルビ小文字領域の領域長さが前記ルビ親文字領域の領域長さより長い場合は、該ルビ親文字領域と該ルビ小文字領域との相対位置を、該ルビ親文字領域が行中に位置する場合は中心合わせ、行末に位置する場合は末揃え、行頭に位置する場合は頭揃えとする様に配置を決定することを特徴とする請求項４記載の表示システム。
【請求項６】
少なくとも内容情報と形式情報を有する文書情報を表示する表示プログラムを記憶した記憶媒体であって、
少なくとも領域原点情報・領域幅情報・領域長さ情報・領域間隔情報を有する領域情報を含み、該領域情報のうち少なくとも一部の特定領域の領域情報は、一連文字群情報領域と、それに対応する複数の分離文字群情報領域とを持つ前記形式情報と、
少なくとも該領域情報で定義される領域に配置される文字情報の集合体からなる文章情報を含み、該文字情報のうち前記一連文字群情報領域及び前記複数の分離文字群情報領域に配置される文字情報はそれぞれ一連文字群情報及び複数の分離文字群情報である前記内容情報と、
を有する前記文書情報を読み込む読み込み手段と、
前記文章情報を表示する表示手段上の指定された表示エリアに合わせて該文章情報の配置を決定する配置決定手段と、
該文章情報の配置の決定にあたり、前記特定領域の配置が行中の場合は前記一連文字群情報領域を選択して前記一連文字群情報を表示し、改行の場合は前記複数の分離文字群情報領域を選択して前記複数の分離文字群情報を表示する様に該特定領域毎に選択を決定してその情報を前記配置決定手段に渡す選択決定手段
としてコンピュータを機能させるための表示プログラムを記憶したことを特徴とするコンピュータ読み取り可能な記憶媒体。
【請求項７】
前記一連文字群情報は割注文字で、前記分離文字群情報は２段に分離した際の割注文字であることを特徴とする請求項６記載の記憶媒体。
【請求項８】
前記一連文字群情報は英文文字で、前記分離文字群情報は２段に分離した際のハイフンを含む英文文字であることを特徴とする請求項６記載の記憶媒体。
【請求項９】
少なくとも内容情報と形式情報を有する文書情報を表示する表示プログラムを記憶した記憶媒体であって、
少なくとも領域原点情報・領域幅情報・領域長さ情報・領域間隔情報を有する領域情報を含み、該領域情報のうち少なくとも一部の特定領域の領域情報はルビ親文字領域であると共に、他の一部の特定領域の領域情報は該ルビ親文字領域に対応したルビ小文字領域である前記形式情報と、
少なくとも該領域情報で定義される領域に配置される文字情報の集合体からなる文章情報を含み、該文字情報のうち前記ルビ親文字領域及び前記ルビ小文字領域に配置される文字情報はそれぞれルビ親文字群情報及びルビ小文字群情報である前記内容情報と、
前記ルビ親文字領域とそれに対応した前記ルビ小文字領域との分離を禁止する分離禁止情報と、
を有する前記文書情報を読み込む読み込み手段と、
前記文章情報を表示する表示手段上の指定された表示エリアに合わせて該文章情報の配置を決定し、その際に、前記分離禁止情報によって各々分離を禁止された前記ルビ親文字領域及び前記ルビ小文字領域を対応する位置に配置すると共に、該ルビ小文字領域の領域長さが該ルビ親文字領域の領域長さより長い場合は、該ルビ小文字領域が該ルビ親文字領域の前後の領域の文字上に食い込める様に配置を決定する配置決定手段
としてコンピュータを機能させるための表示プログラムを記憶したことを特徴とするコンピュータ読み取り可能な記憶媒体。
【請求項１０】
前記配置決定手段は、前記ルビ小文字領域の領域長さが前記ルビ親文字領域の領域長さより長い場合は、該ルビ親文字領域と該ルビ小文字領域との相対位置を、該ルビ親文字領域が行中に位置する場合は中心合わせ、行末に位置する場合は末揃え、行頭に位置する場合は頭揃えとする様に配置を決定することを特徴とする請求項９記載の記憶媒体。
【発明の詳細な説明】
【０００１】
【発明の属する技術分野】
本発明は、文書情報を表示する表示システム及び表示プログラムを記憶した記憶媒体に関し、更に詳細には少なくとも内容情報と形式情報を有する文書情報を表示する表示システム及び表示プログラムを記憶した記憶媒体に関する。
【０００２】
【従来の技術】
従来より、表示を考慮して文章情報を内容情報と形式情報に分離したものとしてはＳＧＭＬ（Ｓｔａｎｄａｒｄ  Ｇｅｎｅｒａｌｉｚｅｄ  Ｍａｒｋｕｐ  Ｌａｎｇｕａｇｅ）、ＨＴＭＬ（ＨｙｐｅｒＴｅｘｔ  Ｍａｒｋｕｐ  Ｌａｎｇｕａｇｅ）等が知られている。
ＳＧＭＬはＩＳＯ８８７９に定められた電子的文書を扱うための計算機言語であり、文書データの多角的利用と異機種間の文書交換を目的とした文書の表現形式である。その考え方は文書の要素を構造、内容、見栄えの要素に分離するというものである。また、ＨＴＭＬはＷＷＷ（Ｗｏｒｌｄ  Ｗｉｄｅ  Ｗｅｂ）専用のＳＧＭＬの一種で、一般にはインターネットのホームページ記述言語として知られている。
これらの計算機言語は、内容と見栄えを分離しているため、表示画面の大きさ、画面上のウインドウの大きさに合わせて自動的にレイアウトが変更できる。従って、表示画面の大きさ、画面上のウインドウの大きさに拘わらず内容全文を読むことができる。
【０００３】
【発明が解決しようとする課題】
しかしながら、従来の技術では内容全文を読むことはできるが、読みにくいという課題があった。
すなわち、日本語の場合、表意文字と表音文字から構成されており、書籍等において読みやすく、理解しやすくするために独特の技法（ルビ、割注等）が用いられている。これらは表意文字を使用する際には極めて重要な技法であるが、表音文字の場合はそもそも技法として存在していないため従来技術では対応していない。
このことは、電子書籍を画面上で読む場合、極めて重要な問題となる。すなわち、科学文献や技術文献は一定の知識を有する読者を想定しているため、読者の理解可能な漢字（表意文字）や熟語を設定することが可能であり、読み方（ルビ）や注釈（割注）を使用する必要性がそれほど高くない。
しかし、小説、エッセイ等の文芸作品の場合、読者は幅広い年齢層を想定している。その際、読みやすくするために漢字や熟語を使用するが、その漢字等を知らない年齢層のために読み方（ルビ）や注釈（割注）を使用する必要がある。このルビや注釈は知識を習得するに至っている年齢層にとっては不要なため、読む際にできるだけ邪魔にならない様に配置され、かつ、その知識を習得するに至ってない年齢層の読者は、読み方（ルビ）や注釈（割注）により漢字や熟語の意味する概念を理解することで、読みやすくしており、その必要性は極めて高いものとなる。
更に、割注の場合、途中で分離する場合読む方向が異なるという問題がある。すなわち、割注は親行１行の中に子行２行を配置する技法であるが、親行内の子行を一通り読んだ後、次の親行に移り、その中の子行を読むこととなる。そのため、割注が一行内に収まる場合と２行にまたがる場合では文字の配置が異ならないと、非常に読みにくい文章となるという問題があった。
【０００４】
【課題を解決するための手段】
かかる課題を解決するため、請求項１に記載の発明は、少なくとも内容情報と形式情報を有する文書情報を表示する表示システムであって、少なくとも領域原点情報・領域幅情報・領域長さ情報・領域間隔情報を有する領域情報を含み、該領域情報のうち少なくとも一部の特定領域の領域情報は、一連文字群情報領域と、それに対応する複数の分離文字群情報領域とを持つ前記形式情報と、少なくとも該領域情報で定義される領域に配置される文字情報の集合体からなる文章情報を含み、該文字情報のうち前記一連文字群情報領域及び前記複数の分離文字群情報領域に配置される文字情報はそれぞれ一連文字群情報及び複数の分離文字群情報である前記内容情報と、を有する前記文書情報を記憶する記憶手段と、前記文章情報を表示する表示手段と、該表示手段上の表示エリアを指定する指定手段と、該表示エリアに合わせて前記文章情報の配置を決定する配置決定手段と、該文章情報の配置の決定にあたり、前記特定領域の配置が行中の場合は前記一連文字群情報領域を選択して前記一連文字群情報を表示し、改行の場合は前記複数の分離文字群情報領域を選択して前記複数の分離文字群情報を表示する様に該特定領域毎に選択を決定してその情報を前記配置決定手段に渡す選択決定手段と、を有することを特徴とする表示システムである。
【０００５】
請求項１に記載の発明によれば、形式情報に含まれる領域情報のうち、一部の特定領域の領域情報として、一連文字群情報領域と、それに対応する複数の分離文字群情報領域とを持つ文書情報を用い、指定された表示エリアに合わせて当該文書情報の配置を決定する際に、当該特定領域の配置が行中の場合は一連文字群情報領域を、改行の場合はそれに対応する複数の分離文字群情報領域を選択して表示するため、当該特定領域が１行に配置される場合と、２行にまたがって配置される場合とでは、異なる文字群を表示することが可能である。そのため、指定された表示エリアに合わせて文書情報を表示する際に、前記特定領域を一連で表示するか２行に分離して表示するかを、当該表示エリアの大きさに応じて選択でき、それに応じてより読みやすい文字群を選択して表示することが可能であるので、より読みやすい文章を表示することが可能となる。
【０００６】
請求項２に記載の発明は、前記一連文字群情報は割注文字で、前記分離文字群情報は２段に分離した際の割注文字であることを特徴とする請求項１記載の表示システムである。請求項２に記載の発明によれば、１行に割注文字が配置される場合と、２行にまたがって割注文字が配置される場合では異なる文字群を表示することが可能である。そのため、より読みやすい文字群を選択して表示することが可能となる。
【０００７】
請求項３に記載の発明は、前記一連文字群情報は英文文字で、前記分離文字群情報は２段に分離した際のハイフンを含む英文文字であることを特徴とする請求項１記載の表示システムである。請求項３に記載の発明によれば、１行に英文文字が配置される場合と、２行にまたがって英文文字が配置される場合ではハイフンを含む異なる文字群を表示することが可能である。そのため、より読みやすい文字群を選択して表示することが可能となる。
【０００８】
請求項４に記載の発明は、少なくとも内容情報と形式情報を有する文書情報を表示する表示システムであって、少なくとも領域原点情報・領域幅情報・領域長さ情報・領域間隔情報を有する領域情報を含み、該領域情報のうち少なくとも一部の特定領域の領域情報はルビ親文字領域であると共に、他の一部の特定領域の領域情報は該ルビ親文字領域に対応したルビ小文字領域である前記形式情報と、少なくとも該領域情報で定義される領域に配置される文字情報の集合体からなる文章情報を含み、該文字情報のうち前記ルビ親文字領域及び前記ルビ小文字領域に配置される文字情報はそれぞれルビ親文字群情報及びルビ小文字群情報である前記内容情報と、前記ルビ親文字領域とそれに対応した前記ルビ小文字領域との分離を禁止する分離禁止情報と、を有する前記文書情報を記憶する記憶手段と、前記文章情報を表示する表示手段と、該表示手段上の表示エリアを指定する指定手段と、該表示エリアに合わせて前記文章情報の配置を決定し、その際に、前記分離禁止情報によって各々分離を禁止された前記ルビ親文字領域及び前記ルビ小文字領域を対応する位置に配置すると共に、該ルビ小文字領域の領域長さが該ルビ親文字領域の領域長さより長い場合は、該ルビ小文字領域が該ルビ親文字領域の前後の領域の文字上に食い込める様に配置を決定する配置決定手段と、を有することを特徴とする表示システムである。
【０００９】
請求項４に記載の発明によれば、形式情報に含まれる領域情報のうち、一部の特定領域の領域情報はルビ親文字領域であると共に、他の一部の特定領域の領域情報はそれに対応したルビ小文字領域であり、しかも、該ルビ親文字領域と該ルビ小文字領域との分離を禁止する分離禁止情報を有する文書情報を用い、指定された表示エリアに合わせて当該文書情報の配置を決定する際に、該ルビ親文字領域と該ルビ小文字領域とを対応する位置に配置すると共に、該ルビ小文字領域の領域長さが該ルビ親文字領域の領域長さより長い場合は、該ルビ小文字領域が該ルビ親文字領域の前後の領域の文字上に食い込める様に配置を決定するため、ルビ小文字がルビ親文字と不自然な位置関係になることは無く、しかも、ルビ小文字の長さがルビ親文字より長い場合であっても、親文字の前後に不自然な空白が開いてしまうことがないので、より読みやすい文章を表示することが可能となる。
【００１０】
請求項５に記載の発明は、前記配置決定手段は、前記ルビ小文字領域の領域長さが前記ルビ親文字領域の領域長さより長い場合は、該ルビ親文字領域と該ルビ小文字領域との相対位置を、該ルビ親文字領域が行中に位置する場合は中心合わせ、行末に位置する場合は末揃え、行頭に位置する場合は頭揃えとする様に配置を決定することを特徴とする請求項４記載の表示システムである。
【００１１】
請求項５に記載の発明によれば、ルビ小文字の長さがルビ親文字より長い場合に、両者の相対位置を、行中に位置する場合は中心合わせ、行末に位置する場合は末揃え、行頭に位置する場合は頭揃えで表示することができるので、より読みやすい文章を表示することが可能となる。
【００１２】
請求項６に記載の発明は、少なくとも内容情報と形式情報を有する文書情報を表示する表示プログラムを記憶した記憶媒体であって、少なくとも領域原点情報・領域幅情報・領域長さ情報・領域間隔情報を有する領域情報を含み、該領域情報のうち少なくとも一部の特定領域の領域情報は、一連文字群情報領域と、それに対応する複数の分離文字群情報領域とを持つ前記形式情報と、少なくとも該領域情報で定義される領域に配置される文字情報の集合体からなる文章情報を含み、該文字情報のうち前記一連文字群情報領域及び前記複数の分離文字群情報領域に配置される文字情報はそれぞれ一連文字群情報及び複数の分離文字群情報である前記内容情報と、を有する前記文書情報を読み込む読み込み手段と、前記文章情報を表示する表示手段上の指定された表示エリアに合わせて該文章情報の配置を決定する配置決定手段と、該文章情報の配置の決定にあたり、前記特定領域の配置が行中の場合は前記一連文字群情報領域を選択して前記一連文字群情報を表示し、改行の場合は前記複数の分離文字群情報領域を選択して前記複数の分離文字群情報を表示する様に該特定領域毎に選択を決定してその情報を前記配置決定手段に渡す選択決定手段としてコンピュータを機能させるための表示プログラムを記憶したことを特徴とするコンピュータ読み取り可能な記憶媒体である。
【００１３】
請求項６に記載の発明によれば、形式情報に含まれる領域情報のうち、一部の特定領域の領域情報として、一連文字群情報領域と、それに対応する複数の分離文字群情報領域とを持つ文書情報を用い、指定された表示エリアに合わせて当該文書情報の配置を決定する際に、当該特定領域の配置が行中の場合は一連文字群情報領域を、改行の場合はそれに対応する複数の分離文字群情報領域を選択して表示するため、当該特定領域が１行に配置される場合と、２行にまたがって配置される場合とでは、異なる文字群を表示することが可能である。そのため、指定された表示エリアに合わせて文書情報を表示する際に、前記特定領域を一連で表示するか２行に分離して表示するかを、当該表示エリアの大きさに応じて選択でき、それに応じてより読みやすい文字群を選択して表示することが可能であるので、より読みやすい文章を表示することが可能となる。
【００１４】
請求項７に記載の発明は、前記一連文字群情報は割注文字で、前記分離文字群情報は２段に分離した際の割注文字であることを特徴とする請求項６記載の記憶媒体である。請求項７に記載の発明によれば、１行に割注文字が配置される場合と、２行にまたがって割注文字が配置される場合では異なる文字群を表示することが可能である。そのため、より読みやすい文字群を選択して表示することが可能となる。
【００１５】
請求項８に記載の発明は、前記一連文字群情報は英文文字で、前記分離文字群情報は２段に分離した際のハイフンを含む英文文字であることを特徴とする請求項６記載の記憶媒体である。請求項８に記載の発明によれば、１行に英文文字が配置される場合と、２行にまたがって英文文字が配置される場合ではハイフンを含む異なる文字群を表示することが可能である。そのため、より読みやすい文字群を選択して表示することが可能となる。
【００１６】
請求項９に記載の発明は、少なくとも内容情報と形式情報を有する文書情報を表示する表示プログラムを記憶した記憶媒体であって、少なくとも領域原点情報・領域幅情報・領域長さ情報・領域間隔情報を有する領域情報を含み、該領域情報のうち少なくとも一部の特定領域の領域情報はルビ親文字領域であると共に、他の一部の特定領域の領域情報は該ルビ親文字領域に対応したルビ小文字領域である前記形式情報と、少なくとも該領域情報で定義される領域に配置される文字情報の集合体からなる文章情報を含み、該文字情報のうち前記ルビ親文字領域及び前記ルビ小文字領域に配置される文字情報はそれぞれルビ親文字群情報及びルビ小文字群情報である前記内容情報と、前記ルビ親文字領域とそれに対応した前記ルビ小文字領域との分離を禁止する分離禁止情報と、を有する前記文書情報を読み込む読み込み手段と、前記文章情報を表示する表示手段上の指定された表示エリアに合わせて該文章情報の配置を決定し、その際に、前記分離禁止情報によって各々分離を禁止された前記ルビ親文字領域及び前記ルビ小文字領域を対応する位置に配置すると共に、該ルビ小文字領域の領域長さが該ルビ親文字領域の領域長さより長い場合は、該ルビ小文字領域が該ルビ親文字領域の前後の領域の文字上に食い込める様に配置を決定する配置決定手段としてコンピュータを機能させるための表示プログラムを記憶したことを特徴とするコンピュータ読み取り可能な記憶媒体である。
【００１７】
請求項９に記載の発明によれば、形式情報に含まれる領域情報のうち、一部の特定領域の領域情報はルビ親文字領域であると共に、他の一部の特定領域の領域情報はそれに対応したルビ小文字領域であり、しかも、該ルビ親文字領域と該ルビ小文字領域との分離を禁止する分離禁止情報を有する文書情報を用い、指定された表示エリアに合わせて当該文書情報の配置を決定する際に、該ルビ親文字領域と該ルビ小文字領域とを対応する位置に配置すると共に、該ルビ小文字領域の領域長さが該ルビ親文字領域の領域長さより長い場合は、該ルビ小文字領域が該ルビ親文字領域の前後の領域の文字上に食い込める様に配置を決定するため、ルビ小文字がルビ親文字と不自然な位置関係になることは無く、しかも、ルビ小文字の長さがルビ親文字より長い場合であっても、親文字の前後に不自然な空白が開いてしまうことがないので、より読みやすい文章を表示することが可能となる。
【００１８】
請求項１０に記載の発明は、前記配置決定手段は、前記ルビ小文字領域の領域長さが前記ルビ親文字領域の領域長さより長い場合は、該ルビ親文字領域と該ルビ小文字領域との相対位置を、該ルビ親文字領域が行中に位置する場合は中心合わせ、行末に位置する場合は末揃え、行頭に位置する場合は頭揃えとする様に配置を決定することを特徴とする請求項９記載の記憶媒体である。
【００１９】
請求項１０に記載の発明によれば、ルビ小文字の長さがルビ親文字より長い場合に、両者の相対位置を、行中に位置する場合は中心合わせ、行末に位置する場合は末揃え、行頭に位置する場合は頭揃えで表示することができるので、より読みやすい文章を表示することが可能となる。
【００２０】
【発明の実施の形態】
本発明の実施の形態を、図を用いて説明する。
図１は本発明の構成を示す概念図である。
図１において、１は表示システム、２は表示手段、３は演算手段、４は記憶手段、５は指示手段、６は配置決定手段、７は選択決定手段、８は読み込み手段、９は記憶部分、１０は記憶部分内の内容情報と形式情報、１００はインターフェース手段である。
【００２１】
図１において、表示システム１は表示手段２、演算手段３、記憶手段４、指示手段５により構成されており、演算手段３は配置決定手段６、選択決定手段７、読み込み手段８及びインターフェース手段１００を有している。配置決定手段６には表示プログラムの内の配置決定部分が、選択決定手段７には表示プログラムの内の選択決定部分が、読み込み手段８には表示プログラムの内の読み込み部分が、インターフェース手段１００には表示プログラムの内のインターフェース部分が存在している。また、記憶手段４には記憶部分が存在し、記憶部分は電子書籍の頁に相当する概念である頁情報毎に内容情報と形式情報を有し、形式情報は少なくとも領域原点情報・領域幅情報・領域長さ情報・領域間隔情報を有し、内容情報は少なくとも文字情報の集合体からなる文章情報を有している。また、記憶部分には図示しない特定領域どうしの分離を禁止する分離禁止情報が存在している。
【００２２】
指示手段５より表示の指示が入力された場合、記憶手段４の記憶部分９より頁情報毎に内容情報、形式情報、分離禁止情報を読み込み手段８の読み込み部分により読み込み、それらの情報を配置決定手段６の配置決定部分に渡す。また、表示手段２上の表示エリア（別途指示手段により指示されている）の大きさは配置決定手段６の配置決定部分に渡される。更に、選択決定手段７の選択決定部分は選択した領域の情報を配置決定手段６の配置決定部分に渡す。
【００２３】
配置決定手段６の配置決定部分は、領域原点情報・領域幅情報・領域長さ情報・領域間隔情報・分離禁止情報より、現在の表示エリアの大きさに合わせた領域配置を決定し、その領域に配置される内容情報の座標値を決定する。そして図示しない表示装置制御手段はその座標値と文字情報（文字コード）、その他画像等の表示情報により表示する全情報を決定、表示手段に表示する。
【００２４】
また、インターフェース手段１００のインターフェース部分は指示手段５からの指示を受け、表示プログラム付随する別プログラム（例えば、電卓プログラム、メモ帳プログラム等）を起動させ、指示手段５より別プログラムの終了が指示されると、再度表示プログラムを起動させる。
【００２５】
図１において、表示手段２としては、例えば、モニターが採用できるが之に限定するものではない。演算手段３としては、例えば、各種公知のパーツナルコンピュータ本体が採用できるがこれに限定するものではない。記憶手段４としては、例えば、フロッピーディスク等の磁気式ディスク、ＣＤ−ＲＯＭに代表される光学ディスク、光磁気ディスク、磁気テープ、ハードディスクが採用できるがこれに限定するものではない。指示手段５としては、例えば、キーボード、マウス、トラックボール、音声認識入力が採用できるがこれに限定するものではない。
【００２６】
図１において、図示したのは表示プログラムを読み込んだ後の表示システムであるが、本発明はこれに限定するものではなく、例えばＣＤ−ＲＯＭ等の記憶手段に配置決定部分、選択決定部分、読み込み部分、インターフェース部分を記憶させて頒布し、別のＣＤ−ＲＯＭ等の記憶手段に内容情報、形式情報、分離禁止情報を記憶させ、これを電子書籍として頒布してもよい。また、インターネット等の通信網を使用して配布しても良い。
【００２７】
図２は本発明の表示の状態を示す概念図である。
図２において、１１は全体表示エリア、１２は標準機能ツールバー部分、１３はカスタム機能ツールバー部分、１４はナビゲート部分、１５は表示エリアである。
図２において、全体表示エリア１１は表示プログラムによって表示される全体を示し、標準機能ツールバー部分１２、カスタム機能ツールバー部分１３、ナビゲート部分１４、表示エリア１５を有している。
【００２８】
標準機能ツールバー部分１２は全体表示エリア１１の上方に左右に広がって細長く配置されており、その中に「ファイル」「編集／設定」「表示」「移動」「ヘルプ」等公知プログラムの概念に共通する命令が収められている。これらの機能は一般的に必要不可欠なものではあるが、電子書籍等を読む際、また、本発明による表示プログラムの操作を習得した人には、常時必要となるものではないため、細長く配置してある。
【００２９】
カスタム機能ツールバー部分１３は、全体表示エリア１１の上方であって標準機能ツールバー部分１２の下方に左右に広がって配置されており、その中に「戻る」「進む」「コピー」「ナビゲート」「印刷」「ヘルプ」の命令が配置されている。これらの命令は電子書籍を読むに際し、随時必要となる命令なため、標準機能ツールバー部分１２より幅広く、命令入力部分もアイコンを使用し擬似スイッチを模して、より読者に使いやすいようにしてある。
【００３０】
図２において、カスタム機能ツールバー部分１３の「戻る」「進む」の命令は、電子書籍を紙媒体書籍の頁と同様の概念で読む際に極めて重要な命令となる。電子書籍の場合、一冊の本に相当する情報を一つの頁としてしょりすることが可能であり、また、そのような例も多い。しかしながら、書籍というのは長い時間をかけ、考えつつ、理解して読むことが楽しみの一つであり、頁はそのための重要な区切りとなっている。しかしながら、条らい技術においては、頁の概念ではなく、内容の区切りで文章を区切ることが多く、読者にとっては極めて楽しみづらいものとなっていた。本発明では。紙媒体の持つ頁による区切りの効果を取り入れ、頁情報の概念で、内容（例えば、章など）による区切り以外に、その内容の中を一定行数で区切りって頁を設けて有り、非常に読みやすいものとなっている。そして、この頁情報をめくる（前後の頁情報を表示する）命令として「戻る」「進む」を設けている。
【００３１】
また、「戻る」「進む」はカスタム機能ツールバー部分１３の左端側、つまり、全体表示エリア１１の上左方に配置され、後述する表示エリア１５と対角状態に配置されている。この配置は、表示エリア１５に表示される文章が縦書きの場合、極めて有効なものとなる。すなわち、表示エリア１５に表示された本文文書が縦書きの場合、読者は右から左に、そして行毎に上から下に、読ん進んでいく。そして頁情報の最終行を読み終わるとき、読者の視点は全体表示エリア１１の左下側にある。次に、読み進むのと同様の動作をした場合、全体表示エリア１１の上左方に視点が自然と移る。従って、文章が縦書きの場合において、「戻る」「進む」などの前後の頁情報を表示する命令部分を全体表示エリア１１の上左方に配置する構成を採用することによって、読者はもっとも自然な動作で、最も使用頻度の高い命令部分を認識することとなり、読者に負荷をかけることがなく、極めて読みやすい表示システムを提供することが可能である。更に、「戻る」「進む」などの前後の頁情報を表示する命令部分が、電子文書の本文文書を表示する表示エリア１５と対角状態に配置されている場合、又は表示エリア１５の左上方に配置されている場合、その効果は一層高いものとなる。
【００３２】
図２において、カスタム機能ツールバー部分１３の「コピー」「印刷」「ヘルプ」は、その表示通りの機能であるが、「ナビゲート」はナビゲート部分１４の表示、非表示を選択するための命令部分である。
【００３３】
図２において、矢印ａは全体表示エリア１１の幅の大きさであり、矢印ｂは長さの大きさである。標準機能ツールバー部分１２、カスタム機能ツールバー部分１３、ナビゲート部分１４の大きさは一定のため、表示エリア１５の大きさは全体表示エリア１１の大きさに比例しており、表示エリア１５の大きさを指示する際は、全体表示エリア１１の幅ａと長さｂをマウス等公知の操作方法で指示することにより、表示エリア１５の大きさを指示することが可能となる。
【００３４】
図２において、ナビゲート部分１４は全体表示エリア１１左側に上下に渡って幅広く配置されており、表示エリア１５に表示される本文文章が縦書きの際に有効である。すなわち、頁を切り替えた場合、表示エリア１５の右側より新たに読むことになるが、その際、ナビゲート部分１４が右側にあると、本文文章のの最初の行を探す必要が発生し、読みにくいものとなってしまう。
ナビゲート部分１４は内容の区切りとなる目次の機能を有しており、その項目を指定することで、該当部分の最初の頁に表示を切り替えることができる。ナビゲート部分１４は、全体表示エリア１１とは独立したウィンドウとして設定することが可能であり、ナビゲート部分１４表示手段上の任意の位置に移動させることが可能となる。その場合、ナビゲート部分１４をじゃまにならない位置へ移動させることで、より読みやすい表示システムを提供することが可能となる。
尚、特に番号は付していないが、ナビゲート部分１４は公知のバーにより上下左右に表示をスクロールすることが可能である。
【００３５】
図２において、表示エリア１５は全体表示エリア１１の右下側に大きく配置されている。表示エリア１５は本文文章（特に番号を付さない）を表示するエリアであり、図２においては横書きで表示している。尚、表示エリア１５は公知のバー（特に番号を付さない）により上下左右に表示をスクロールすることが可能であり、図２では上下のスクロールバーを記載してある。
【００３６】
図３は本発明の表示の状態を示す概念図である。
図３において、２１は全体表示エリア、２２は標準機能ツールバー部分、２３はカスタム機能ツールバー部分、２４はナビゲート部分、２５は表示エリアである。
図３において、全体表示エリア２１、標準機能ツールバー部分１２、カスタム機能ツールバー部分１３、ナビゲート部分１４、表示エリア１５は図２と同様であり、説明を省略する。図３においては、図２と長さｂが異なっており、それに応じて表示エリア２５が狭いため、本文文章の配置が図２とは異なっている。
【００３７】
図４は本発明の表示の配置を示す概念図である。
図４において、３０は表示手段の画面全体、３１は表示エリア、３２は領域、３３は領域長さ、３４は長さ方向の領域間隔、３５は幅方向の領域間隔、３６は領域幅、３７は表示手段の画面全体の原点、３８は表示エリアの原点、３９は領域原点、４０は表示エリアの幅、４１は表示エリアの長さ、４２は行頭、４３は行末である。
図４において、表示手段の画面全体３０には表示エリア３１が表示されており、表示エリア３１には領域３２が横書きで配置されて表示されている。図の配置は行頭、行末を揃えた改行の無い一連の文章の配置で、この領域３２は図示していないが、内容情報である文字情報等がされている。そして行毎に、文字間隔、長さ方向の領域間隔を調整することで行頭と行末を揃えている。
【００３８】
前述の配置決定手段では表示エリアの幅４０と表示エリアの長さにより与えられる表示エリアの大きさに対し、各領域の領域長さ３３と領域幅３６で配置を行い、長さ方向の領域間隔３４と文字間隔を調整することで、行頭４２と行末４３を揃えている。尚、文字間隔を調整する際に領域長さ３３が一時的に変更される場合がある。
領域に配置される文字は一文字単位、熟語単位、複数の熟語をまとめたもの等何れでも良く、改行により分断されと読みにくくなる単位で選択される。また、行頭、行末揃えのために調整する長さ方向の領域間隔３４と文字間隔は、日本語の場合は同様にあつかっても問題は少ない。つまり、日本語は一文字の長さが同じであり、領域間隔３４と文字間隔が同じとなってもよい。ただし、英文の場合は、領域間隔３４と文字間隔の調整量に差をつける必要がある。
【００３９】
配置決定手段は、領域の配置（文字間隔が調整された場合、領域の長さ３３は変更となっている）に従い、その中の各々の文字の座標値を表示手段の画面全体の原点３７、表示エリアの原点３８、領域原点３９により計算して決定する。これにより、表示エリア３１の大きさに併せて文章情報（文字情報の集合体）の配置が決定される。また、横書きの場合、幅方向の領域間隔３５は原則として変更されない。尚、縦書きの場合、横書きと逆に行頭４２と行末４３f上下に設定され、幅方向の領域間隔３５と文字間隔（領域幅３６が変更となる）が調整される。
【００４０】
形式情報としては図示した領域長さ３３、長さ方向の領域間隔３４、幅方向の領域間隔３５、領域幅３６以外に、各種文字飾り情報が含まれる。例えば下線、横線、太文字、細文字、書体、大きさ（ポイント）、色、添字、字下げ、文字合成等の情報が含まれる。尚、行頭４２と行末４３で図示した揃え位置も形式情報に含まれている。
【００４１】
図５は本発明の分離禁止領域を示す概念図である。
図５（ａ）は１行表示された場合を示す概念図である。
図５（ｂ）は２行表示された場合を示す概念図である。
図５において、５１はルビ小文字群情報が配置された領域、５２はルビ小文字群情報が配置された領域、５３はルビ親文字群情報が配置された領域、５４はルビ親文字群情報が配置された領域である。領域５１と領域５３には分離禁止情報が付加されており、領域５２と領域５４には分離禁止情報が付加されている。
【００４２】
図５（ａ）において、領域５３と領域５４は１行で表示されており、領域５１と領域５２もまた一連のルビとして表示されている。図５（ｂ）において、領域５３と領域５４は改行され２行で表示されており、領域５１と領域５２もまた改行され、各々分離が禁止された領域領域５３と領域５４の対応する位置に配置されて表示されている。そのため、ルビ小文字はルビ親文字と不自然な位置関係になることは無く、読みやすい文章を表示している。
【００４３】
図５においては「東京都」及び「台東区」をルビ親文字として一つの領域としているが、例えば「東」「京」「都」「台」「東」「区」をルビ親文字とし「とう」「きょう」「と」「たい」「とう」「く」をルビ小文字として各々対応する領域を分離禁止としても良い。この場合、ルビ親文字の長さがルビ小文字の長さ以上である「東」「都」「台」「東」「区」は問題がないが、ルビ親文字の長さがルビ小文字の長さより小さい「京」はバランスを欠いた位置関係となる。従ってルビ親文字「京」の領域長さを他の文字より長くして前後に空白を設けルビ小文字「きょう」と対応させるか、ルビ小文字「きょう」の相対位置情報を複数とし後述する領域選択情報により、相対位置を選択する必要が発生する。
【００４４】
また「東京」「都」「台東」「区」をルビ親文字とし「とうきょう」「と」「たいとう」「く」をルビ小文字として各々対応する領域を分離禁止としても良い。この場合、ルビ親文字「東京」の長さはルビ小文字「とうきょう」より小さいが、次に続くルビ親文字「都」はルビ小文字「と」より大きいので、読みやすさへの影響は少なく、例えば「東」と「京」の間に空白を入れる、ルビ親文字「東京」はルビ小文字「とうきょう」を中心線合わせで相対位置を固定する等の方法で解決することが可能となる。
【００４５】
図６は本発明の分離禁止領域を示す概念図である。
図６（ａ）は中心合わせした場合を示す概念図である。
図６（ｂ）は末揃えした場合を示す概念図である。
図６（ｃ）は頭揃えした場合を示す概念図である。
図６において、６１はルビ小文字領域、６２はルビ親文字、６３はルビ小文字領域、６４はルビ親文字、６１はルビ小文字領域、６５はルビ親文字である。
図６において、ルビ小文字領域６１とルビ親文字領域６２の相対位置は中心合わせ、ルビ小文字領域６２とルビ親文字領域６３の相対位置は末揃え、ルビ小文字領域６４とルビ親文字領域６５の相対位置は頭揃え、となっている。ルビ親文字とルビ小文字の位置関係を固定する方法としては、ルビ親文字とルビ小文字を一つの領域とする方法があるが、その場合、ルビ小文字の長さがルビ親文字より長いと、親文字の前後に不自然な空白が開いてしまい読みにくくなる。従って、読みやすい文章を表示するにはルビ親文字領域とルビ小文字領域を別の領域とし、その分離を禁止して、ルビ小文字領域がルビ親文字の前後の文字上に食い込める様にする必要がある。
【００４６】
図６において、ルビ小文字「みことのり」の領域の長さは、ルビ親文字「詔」より大幅に長く、これを読みやすい文章として表示するため、その前後の文字「う」「え」の両方又は何れかに食い込んでいる。何れの相対位置を選択するかは文章の読みやすさにより決定されるが、ルビ親文字が行中に位置する場合は中心合わせ、行末に位置する場合は末揃え、行頭に位置する場合は頭揃えが読みやすい。ルビ親文字とルビ小文字の相対位置を固定してもよいが、その場合はルビ親文字の位置により読みにくい文章となる場合がある。そこで、相対位置情報に、相対位置より揃え情報が優先し必要に応じて相対位置を変更する情報「揃え優先情報」を含ませることで、行中に位置する場合は中心合わせ、行末に位置する場合は末揃え、行頭に位置する場合は頭揃えで表示することができ、より読みやすい文章を表示することが可能となる。
また、ルビ小文字「みことのり」の相対位置情報だけが異なる複数の領域を用意し、後述する領域選択情報により、行中、行末、行頭に適切な相対位置を持つ領域を選択する構成としても良い。
【００４７】
図７は本発明の領域選択を示す概念図である。
図７（ａ）は１行表示の場合を示す概念図である。
図７（ｂ）は２行表示の場合を示す概念図である。
図７において、７１は割注親文字、７２は一連文字群情報群領域、７３は割注親文字、７４は分離文字群情報領域、７５は分離文字群情報領域、７６は行頭、７７は行末である。
図７（ａ）において一連文字群情報群領域７２は一行で表示されており、その文字情報は上段文字群「あいうえおかきくけこ」と下段文字情報群「さしすせそたちつてと」を有している。この表示の場合、まず上段文字群「あいうえおかきくけこ」を読み、次に、下段文字情報群「さしすせそたちつてと」を読む場合がもっとも読みやすい。
図７（b）において、上段には割注親文字７３、分離文字群情報領域７４が表示され、行末７７で改行し、下段には分離文字群情報領域７５が行頭７６より表示されており、これがもっとも読みやすい。
しかし、分離文字群情報領域７４と分離文字群情報領域７５を合わせても一連文字群情報群領域７２とは文字の配列が相違している。このように、割注を分離表示して、かつ、読みやすくするには、一連文字群情報群領域７２と分離文字群情報領域７４、分離文字群情報領域７５を持ち、行中の場合は一連文字群情報群領域７２を表示、改行の場合は分離文字群情報領域７４と分離文字群情報領域７５を表示する様に選択をしている。
【００４８】
図８は本発明の領域選択を示す概念図である。
図８（ａ）は１行表示の場合を示す概念図である。
図８（ｂ）は２行表示の場合を示す概念図である。
図８において、８１は一連文字群情報群領域、８２は分離文字群情報領域、８３は分離文字群情報領域、８４は行頭、８５は行末、８６はハイフンである。
図８において、１行表示は一連文字群情報群領域、改行される場合は分離文字群情報領８２、分離文字群情報領域８３が選択されて表示される。この場合、相違点はハイフン８５にあり、英文での単語が改行される場合に使用されるものである。このように、ハイフン８５を備える領域を選択可能としたことで、読みやすい表示を提供することが可能となる。尚、図７の割注と相違し、単にハイフン８５を付加するだけなので、通常非表示のの領域にハイフンを配置し、その表示、非表示を選択するようにしても良い。
【００４９】
図９は本発明の付属プログラムを示す概念図である。
図９において、９１はインターフェース部分の選択部分、９２は起動した付属プログラムである。尚、図２と同一番号のものは同様なので説明を省略する。
図９において、インターフェース部分の選択部分９１をマウス等の指示手段により指示することにより、付属プログラム９２が起動している表示状態を示している。付属プログラム９２は電卓プログラムであり、マウス等指示手段により計算が可能である。
このような付属プログラムは、電子書籍に紙媒体書籍にない利便性、娯楽性を追加するものであり、従来にない機能により顧客吸引力を提供するものである。付属プログラムの内容は、電子書籍の特徴、ジャンルに合わせることが可能で、例えば、表示プログラムを記憶したＣＤ−ＲＯＭには電卓やメモ帳（後述）などの汎用プログラムを記憶し、電子書籍のＣＤ−ＲＯＭ（内容情報と形式情報を含む）に個別の汎用プログラム、例えば東上人物一覧、現代語と古語の対応表、注釈などを搭載すれば、より強力な顧客吸引力を提供することが可能である。
【００５０】
図１０は本発明の付属プログラムを示す概念図である。
図１０において、１０１はインターフェース部分の選択部分、１０２は起動した付属プログラムである。尚、図２と同一番号のものは同様なので説明を省略する。
図１０において、インターフェース部分の選択部分１０１をマウス等の指示手段により指示することにより、付属プログラム１０２が起動している表示状態を示している。付属プログラム１０２はメモ帳プログラムであり、キーボード等指示手段によりメモ書きができ、気になった部分、感想、伏線等の自由な利用が可能である。
【００５１】
【発明の効果】
請求項１に記載の発明によれば、形式情報に含まれる領域情報のうち、一部の特定領域の領域情報として、一連文字群情報領域と、それに対応する複数の分離文字群情報領域とを持つ文書情報を用い、指定された表示エリアに合わせて当該文書情報の配置を決定する際に、当該特定領域の配置が行中の場合は一連文字群情報領域を、改行の場合はそれに対応する複数の分離文字群情報領域を選択して表示するため、当該特定領域が１行に配置される場合と、２行にまたがって配置される場合とでは、異なる文字群を表示することが可能である。そのため、指定された表示エリアに合わせて文書情報を表示する際に、前記特定領域を一連で表示するか２行に分離して表示するかを、当該表示エリアの大きさに応じて選択でき、それに応じてより読みやすい文字群を選択して表示することが可能であるので、より読みやすい文章を表示することが可能となるという作用効果を奏する。
【００５２】
請求項２に記載の発明によれば、１行に割注文字が配置される場合と、２行にまたがって割注文字が配置される場合では異なる文字群を表示することが可能である。そのため、より読みやすい文字群を選択して表示することが可能となるという作用効果を奏する。請求項３に記載の発明によれば、１行に英文文字が配置される場合と、２行にまたがって英文文字が配置される場合ではハイフンを含む異なる文字群を表示することが可能である。そのため、より読みやすい文字群を選択して表示することが可能となるという作用効果を奏する。
【００５３】
請求項４に記載の発明によれば、形式情報に含まれる領域情報のうち、一部の特定領域の領域情報はルビ親文字領域であると共に、他の一部の特定領域の領域情報はそれに対応したルビ小文字領域であり、しかも、該ルビ親文字領域と該ルビ小文字領域との分離を禁止する分離禁止情報を有する文書情報を用い、指定された表示エリアに合わせて当該文書情報の配置を決定する際に、該ルビ親文字領域と該ルビ小文字領域とを対応する位置に配置すると共に、該ルビ小文字領域の領域長さが該ルビ親文字領域の領域長さより長い場合は、該ルビ小文字領域が該ルビ親文字領域の前後の領域の文字上に食い込める様に配置を決定するため、ルビ小文字がルビ親文字と不自然な位置関係になることは無く、しかも、ルビ小文字の長さがルビ親文字より長い場合であっても、親文字の前後に不自然な空白が開いてしまうことがないので、より読みやすい文章を表示することが可能となるという作用効果を奏する。
【００５４】
請求項５に記載の発明によれば、ルビ小文字の長さがルビ親文字より長い場合に、両者の相対位置を、行中に位置する場合は中心合わせ、行末に位置する場合は末揃え、行頭に位置する場合は頭揃えで表示することができるので、より読みやすい文章を表示することが可能となるという作用効果を奏する。
【００５５】
請求項６に記載の発明によれば、形式情報に含まれる領域情報のうち、一部の特定領域の領域情報として、一連文字群情報領域と、それに対応する複数の分離文字群情報領域とを持つ文書情報を用い、指定された表示エリアに合わせて当該文書情報の配置を決定する際に、当該特定領域の配置が行中の場合は一連文字群情報領域を、改行の場合はそれに対応する複数の分離文字群情報領域を選択して表示するため、当該特定領域が１行に配置される場合と、２行にまたがって配置される場合とでは、異なる文字群を表示することが可能である。そのため、指定された表示エリアに合わせて文書情報を表示する際に、前記特定領域を一連で表示するか２行に分離して表示するかを、当該表示エリアの大きさに応じて選択でき、それに応じてより読みやすい文字群を選択して表示することが可能であるので、より読みやすい文章を表示することが可能となるという作用効果を奏する。
【００５６】
請求項７に記載の発明によれば、１行に割注文字が配置される場合と、２行にまたがって割注文字が配置される場合では異なる文字群を表示することが可能である。そのため、より読みやすい文字群を選択して表示することが可能となるという作用効果を奏する。請求項８に記載の発明によれば、１行に英文文字が配置される場合と、２行にまたがって英文文字が配置される場合ではハイフンを含む異なる文字群を表示することが可能である。そのため、より読みやすい文字群を選択して表示することが可能となるという作用効果を奏する。
【００５７】
請求項９に記載の発明によれば、形式情報に含まれる領域情報のうち、一部の特定領域の領域情報はルビ親文字領域であると共に、他の一部の特定領域の領域情報はそれに対応したルビ小文字領域であり、しかも、該ルビ親文字領域と該ルビ小文字領域との分離を禁止する分離禁止情報を有する文書情報を用い、指定された表示エリアに合わせて当該文書情報の配置を決定する際に、該ルビ親文字領域と該ルビ小文字領域とを対応する位置に配置すると共に、該ルビ小文字領域の領域長さが該ルビ親文字領域の領域長さより長い場合は、該ルビ小文字領域が該ルビ親文字領域の前後の領域の文字上に食い込める様に配置を決定するため、ルビ小文字がルビ親文字と不自然な位置関係になることは無く、しかも、ルビ小文字の長さがルビ親文字より長い場合であっても、親文字の前後に不自然な空白が開いてしまうことがないので、より読みやすい文章を表示することが可能となるという作用効果を奏する。
【００５８】
請求項１０に記載の発明によれば、ルビ小文字の長さがルビ親文字より長い場合に、両者の相対位置を、行中に位置する場合は中心合わせ、行末に位置する場合は末揃え、行頭に位置する場合は頭揃えで表示することができるので、より読みやすい文章を表示することが可能となる。
【図面の簡単な説明】
【図１】図１は本発明の構成を示す概念図である。
【図２】図２は本発明の表示の状態を示す概念図である。
【図３】図３は本発明の表示の状態を示す概念図である。
【図４】図４は本発明の表示の配置を示す概念図である。
【図５】図５は本発明の分離禁止領域を示す概念図である。
図５（ａ）は１行表示された場合を示す概念図である。
図５（ｂ）は２行表示された場合を示す概念図である。
【図６】図６は本発明の分離禁止領域を示す概念図である。
図６（ａ）は中心合わせした場合を示す概念図である。
図６（ｂ）は末揃えした場合を示す概念図である。
図６（ｃ）は頭揃えした場合を示す概念図である。
【図７】図７は本発明の領域選択を示す概念図である。
図７（ａ）は１行表示の場合を示す概念図である。
図７（ｂ）は２行表示の場合を示す概念図である。
【図８】図８は本発明の領域選択を示す概念図である。
図８（ａ）は１行表示の場合を示す概念図である。
図８（ｂ）は２行表示の場合を示す概念図である。
【図９】図９は本発明の付属プログラムを示す概念図である。
【図１０】図１０は本発明の付属プログラムを示す概念図である。
【符号の説明】
１…表示システム、２…表示手段、３…演算手段、４…記憶手段、５…指示手段、６…配置決定手段、７…選択決定手段、８…読み込み手段、９…記憶部分、１０…記憶部分内の内容情報と形式情報、１００…インターフェース手段、１１…全体表示エリア、１２…標準機能ツールバー部分、１３…カスタム機能ツールバー部分、１４…ナビゲート部分、１５…表示エリアである。２１…全体表示エリア、２２…標準機能ツールバー部分、２３…カスタム機能ツールバー部分、２４…ナビゲート部分、２５…表示エリア、３０…表示手段の画面全体、３１…表示エリア、３２…領域、３３…領域長さ、３４…長さ方向の領域間隔、３５…幅方向の領域間隔、３６…領域幅、３７…表示手段の画面全体の原点、３８…表示エリアの原点、３９…領域原点、４０…表示エリアの幅、４１…表示エリアの長さ、４２…行頭、４３…行末、５１…ルビ小文字群情報が配置された領域、５２…ルビ小文字群情報が配置された領域、５３…ルビ親文字群情報が配置された領域、５４…ルビ親文字群情報が配置された領域、６１…ルビ小文字領域、６２…ルビ親文字、６３…ルビ小文字領域、６４…ルビ親文字、６１…ルビ小文字領域、６５…ルビ親文字、７１…割注親文字、７２…一連文字群情報群領域、７３…割注親文字、７４…分離文字群情報領域、７５…分離文字群情報領域、７６…行頭、７７…行末、８１…一連文字群情報群領域、８２…分離文字群情報領域、８３…分離文字群情報領域、８４…行頭、８５…行末、８６…ハイフン、９１…インターフェース部分の選択部分、９２…起動した付属プログラム、１０１…インターフェース部分の選択部分、１０２…起動した付属プログラム
【図１】
0003823598.tif 000002
【図２】
0003823598.tif 000003
【図３】
0003823598.tif 000004
【図４】
0003823598.tif 000005
【図５】
0003823598.tif 000006
【図６】
0003823598.tif 000007
【図７】
0003823598.tif 000008
【図８】
0003823598.tif 000009
【図９】
0003823598.tif 000010
【図１０】
0003823598.tif 000011